(57)【要約】【課題】ＬｔＨタイプの光ディスクかＨｔＬタイプの光ディスクかの判別をブルーレイディスクに対して好適に行える光ディスク装置を提供する。【解決手段】光ディスク装置１には、フォーカスサーボ制御を行い、トラッキングサーボ制御を行わない状態で、光ピックアップ３からの光が光ディスク５０の複数のトラックを一定の向き横切るようにして、ＤＰＤ方式によるトラッキングエラー信号（ＤＰＤ信号）を取得するＤＰＤ信号取得手段１２１と、ＤＰＤ信号の１周期の信号パターンに基づいて得られる２つの時間を比較して、光ディスク５０が記録済み領域の光反射率が未記録領域に比べて高い光ディスクであるか否かを判別するディスク種判別手段１２２と、が備えられる。【選択図】図１
2010067314.tif 000002
【特許請求の範囲】
【請求項１】
光源からの光を対物レンズによって光ディスクの情報記録層に集光し、該情報記録層で反射された戻り光を光検出手段で検出する光ピックアップと、
前記光検出手段の出力信号を処理する信号処理手段と、
前記信号処理手段からの信号に基づいて、フォーカスサーボ制御とトラッキングサーボ制御とを行うサーボ手段と、を備える光ディスク装置であって、
前記信号処理手段は、位相差検出方式（ＤＰＤ方式）のトラッキングエラー信号（以下、ＤＰＤ信号とする）を生成するように設けられ、
前記フォーカスサーボ制御を行い、前記トラッキングサーボ制御を行わない状態で、前記光ピックアップの光が前記光ディスクの複数のトラックを一定の向きに横切るようにして前記ＤＰＤ信号を取得するＤＰＤ信号取得手段と、
前記ＤＰＤ信号の１周期の信号パターンに基づいて得られる２つの時間を比較して、前記光ディスクが記録済み領域の光反射率が未記録領域に比べて高い光ディスクであるか否かを判別するディスク種判別手段と、を設けたことを特徴とする光ディスク装置。
【請求項２】
前記１周期は、信号レベルが最小となってから次に信号レベルが最小となるまでの期間であって、前記２つの時間は、信号レベルが最小値から最大値となるまでに要する第１の時間と、信号レベルが最大値から最小値となるまでの第２の時間であることを特徴とする請求項１に記載の光ディスク装置。
【請求項３】
前記一定の向きが、前記光ディスクの内周側から外周側へと向かう方向であって、前記ディスク種判別手段は、前記第１の時間が、前記第２の時間に比べて小さい場合に、前記光ディスクが記録済み領域の光反射率が未記録領域に比べて高い光ディスクであると判別することを特徴とする請求項２に記載の光ディスク装置。
【請求項４】
前記ＤＰＤ信号取得手段は、前記対物レンズ或いは前記光ピックアップの位置を移動することによって、前記光ピックアップの光が前記複数のトラックを一定の向きに横切るようにすることを特徴とする請求項１から３のいずれかに記載の光ディスク装置。
【請求項５】
記録済み領域の光反射率が未記録領域に比べて高い光ディスクであるか否かの判別が行われる前記光ディスクが、ブルーレイディスクであることを特徴とする請求項１から４のいずれかに記載の光ディスク装置。
【請求項６】
記録済み領域の光反射率が未記録領域に比べて高い光ディスクであるか否かの判別を行う光ディスクの判別方法であって、
トラッキングサーボ制御を行わないでフォーカスサーボ制御のみを開始するステップと、
光ピックアップの光が前記光ディスクの複数のトラックを一定の向きに横切るようにして、位相差検出方式（ＤＰＤ方式）のトラッキングエラー信号（以下、ＤＰＤ信号とする）を取得するステップと、
前記ＤＰＤ信号の１周期の信号パターンに基づいて得られる２つの時間から、前記光ディスクが記録済み領域の光反射率が未記録領域に比べて高い光ディスクであるか否かを判別するステップと、を具備することを特徴とする光ディスクの判別方法。
【請求項７】
前記フォーカスサーボ制御を開始するステップと、前記ＤＰＤ信号を取得するステップとの間に、前記光ディスクに情報が記録されているか否かを判断するステップを有し、
情報が記録されている場合にのみ、前記ＤＰＤ信号を取得して、前記光ディスクが記録済み領域の光反射率が未記録領域に比べて高い光ディスクであるか否かを判別することを特徴とする請求項６に記載の光ディスクの判別方法。
【発明の詳細な説明】
【技術分野】
【０００１】
本発明は、光ディスクに記録される情報の再生や、光ディスクへの情報の記録を行うために使用される光ディスク装置に関し、特に光ディスク装置内に挿入された光ディスクの種類を判別する技術に関する。
【背景技術】
【０００２】
光ディスクについては、従来、コンパクトディスク（ＣＤ）やデジタル多用途ディスク（ＤＶＤ）といった光ディスクが普及しているが、最近では、ブルーレイディスク（ＢＤ）といった新しい規格の光ディスクも登場している。このブルーレイディスクは記録密度の高密度化が図られ、大容量の情報を記録することが可能となっており、今後益々普及するものと思われる。
【０００３】
ところで、ブルーレイディスクには、書き換え可能な光ディスク規格であるＢＤ−ＲＥと、追記型光ディスク規格であるＢＤ−Ｒと、再生専用光ディスク規格であるＢＤ−ＲＯＭと、がある。そして、追記型光ディスク規格のＢＤ−Ｒには、近年新たに採用された記録方式「Low To High」（ＬｔＨ）に対応したＢＤ−Ｒ ＬｔＨがある。
【０００４】
このＢＤ−Ｒ ＬｔＨは記録膜に有機色素を使っており、記録光の照射により情報記録層の性質が変化する。具体的には、記録済み領域は未記録領域に比べて反射率が高くなる。なお、このＬｔＨタイプ以外のブルーレイディスク（ＢＤ−ＲＥ、ＢＤ−Ｒ、ＢＤ−ＲＯＭ）では、記録済み領域は未記録領域に比べて反射率が低くなる。ＢＤ−Ｒ ＬｔＨは、ＣＤ−ＲやＤＶＤ−Ｒの既存の製造設備が活用できるために、光ディスクの低価格化が見込めるという利点を有する。このため、今後、このＬｔＨタイプに対応する光ディスク装置が増えるものと考えられる。
【０００５】
以上のように、ブルーレイディスクには様々な種類が存在するが、その種類によって再生や記録の設定条件が変わってくる。このため、ブルーレイディスクの再生や記録を光ディスク装置で行う場合、光ディスク装置に挿入されたブルーレイディスクの種類を先に判別してから情報の再生や記録を行う必要がある。すなわち、光ディスク装置に挿入されているブルーレイディスクが、ＢＤ−ＲＥ、ＢＤ−Ｒ、ＢＤ−ＲＯＭ、及びＢＤ−Ｒ ＬｔＨのいずれであるのかを、情報の再生や記録の前に判別する必要がある。
【０００６】
ブルーレイディスクがＢＤ−ＲＥ、ＢＤ−Ｒ、ＢＤ−ＲＯＭのいずれであるかを判別する方法としては、例えば、その反射率の違いを利用する方法等、従来様々な方法があり、その研究は盛んに行われている。一方、ＢＤ−Ｒ ＬｔＨは近年採用された記録方式であり、ＢＤ−Ｒ ＬｔＨをＬｔＨタイプではないＢＤ−ＲＥ、ＢＤ−Ｒ及びＢＤ−ＲＯＭと区別する方法については更に検討が望まれるところである。
【０００７】
なお、ブルーレイディスクに対するものではないが、データが記録された領域が未記録領域よりも光の反射率が高い特性を有する光ディスク（以下、ＬｔＨタイプの光ディスクという）と、データが記録された領域が未記録領域よりも光の反射率が低い特性を有する光ディスク（以下、ＨｔＬタイプの光ディスクという）と、の何れであるかを判別する手法については従来報告がある。
【０００８】
例えば、特許文献１には、光ディスクのＢＣＡ(Burst Cutting Area)やシステムリードインエリアに記憶されている情報に基づいて、ＬｔＨタイプの光ディスクかＨｔＬタイプの光ディスクかを判別する手法が示されている。また、特許文献１には、他の判別手法も示されている。すなわち、トラッキングエラー信号のトラックを横切る際の振幅が記録済み領域と未記録領域で異なるために、この振幅の比較でＬｔＨタイプかＨｔＬタイプかを判別する手法が示されている。
【０００９】
また、特許文献２には、低い光反射率の領域に対応するレベルの再生信号が得られる割合と、高い反射率の領域に対応するレベルの再生信号が得られる割合とに基づいて、ＬｔＨタイプの光ディスクかＨｔＬタイプの光ディスクかを判別する手法が示されている。
【特許文献１】特開２００７−３１７３０２号公報
【特許文献２】特開２００５−９２９６４号公報
【発明の開示】
【発明が解決しようとする課題】
【００１０】
そこで、本発明の目的は、ＬｔＨタイプの光ディスクかＨｔＬタイプの光ディスクかの判別をブルーレイディスクに対して好適に行える光ディスク装置を提供することである。また、本発明の他の目的は、ＬｔＨタイプの光ディスクかＨｔＬタイプの光ディスクかの判別をブルーレイディスクに対して好適に行える光ディスクの判別方法を提供することである。
【課題を解決するための手段】
【００１１】
上記目的を達成するために本発明は、光源からの光を対物レンズによって光ディスクの情報記録層に集光し、該情報記録層で反射された戻り光を光検出手段で検出する光ピックアップと、前記光検出手段の出力信号を処理する信号処理手段と、前記信号処理手段からの信号に基づいて、フォーカスサーボ制御とトラッキングサーボ制御とを行うサーボ手段と、を備える光ディスク装置であって、前記信号処理手段は、位相差検出方式（ＤＰＤ方式）のトラッキングエラー信号（以下、ＤＰＤ信号とする）を生成するように設けられ、
前記フォーカスサーボ制御を行い、前記トラッキングサーボ制御を行わない状態で、前記光ピックアップの光が前記光ディスクの複数のトラックを一定の向きに横切るようにして前記ＤＰＤ信号を取得するＤＰＤ信号取得手段と、前記ＤＰＤ信号の１周期の信号パターンに基づいて得られる２つの時間を比較して、前記光ディスクが記録済み領域の光反射率が未記録領域に比べて高い光ディスクであるか否かを判別するディスク種判別手段と、を設けたことを特徴としている。
【００１２】
ＬｔＨタイプの光ディスクとＨｔＬタイプの光ディスクとでは、トラッキングエラー信号の極性が異なる。この点を利用して、本構成のようにＤＰＤ信号の１周期の信号パターンに基づいて得られる２つの時間を比較して、ＬｔＨタイプの光ディスクか否かを判別することが可能である。そして、本構成ではトラッキングエラー信号の極性の違いに基づく時間差を利用するので、高い判別精度を得ることが可能である。すなわち、従来においては、光反射率の大きさの違いを利用（振幅の大きさを比較する場合が該当）してＬｔＨタイプか否かの判別を行っていたために、光ディスクの反射率の個体間ばらつきの影響で誤判別を起こす場合があった。しかし、本構成によれば、このような光ディスクの個体間ばらつきの影響を受けないので高い判別精度を得ることができる。そして、この場合、判別のやり直しといった無駄な時間を低減でき、光ディスクの判別に要する時間の短縮も可能となる。
【００１３】
上記構成の光ディスク装置において、前記１周期は、信号レベルが最小となってから次に信号レベルが最小となるまでの期間であって、前記２つの時間は、信号レベルが最小値から最大値となるまでに要する第１の時間と、信号レベルが最大値から最小値となるまでの第２の時間であることとしてもよい。そして、本構成の更に具体的な構成として、前記一定の向きが、前記光ディスクの内周側から外周側へと向かう方向であって、前記ディスク種判別手段は、前記第１の時間が、前記第２の時間に比べて小さい場合に、前記光ディスクが記録済み領域の光反射率が未記録領域に比べて高い光ディスクであると判別することとしてもよい。
【００１４】
上記構成の光ディスク装置において、前記対物レンズ或いは前記光ピックアップの位置を移動することによって、前記光ピックアップの光が前記複数のトラックを一定の向きに横切るようにするのが好ましい。この構成によれば、光ピックアップの光が光ディスクの複数のトラックを一定の向きに横切るようにする構成を容易に実現できる。
【００１５】
上記構成の光ディスク装置において、記録済み領域の光反射率が未記録領域に比べて高い光ディスクであるか否かの判別が行われる前記光ディスクが、ブルーレイディスクであることとしてもよい。
【００１６】
また、上記目的を達成するために本発明は、記録済み領域の光反射率が未記録領域に比べて高い光ディスクであるか否かの判別を行う光ディスクの判別方法であって、トラッキングサーボ制御を行わないでフォーカスサーボ制御のみを開始するステップと、光ピックアップの光が前記光ディスクの複数のトラックを一定の向きに横切るようにして、位相差検出方式（ＤＰＤ方式）のトラッキングエラー信号（以下、ＤＰＤ信号とする）を取得するステップと、前記ＤＰＤ信号の１周期の信号パターンに基づいて得られる２つの時間から、前記光ディスクが記録済み領域の光反射率が未記録領域に比べて高い光ディスクであるか否かを判別するステップと、を具備することを特徴としている。
【００１７】
この構成によれば、トラッキングエラー信号の極性の違いに基づく時間差を利用するので高い判別精度を得ることが可能である。すなわち、従来においては、光反射率の大きさの違いを利用（振幅の大きさを比較する場合が該当）してＬｔＨタイプか否かの判別を行っていたために、光ディスクの反射率の個体間ばらつきの影響で誤判別を起こす場合があった。しかし、本構成によれば、このような光ディスクの個体間ばらつきの影響を受けないので高い判別精度を得ることができる。そして、この場合、判別のやり直しといった無駄な時間を低減でき、光ディスクの判別に要する時間の短縮も可能となる。
【００１８】
上記構成の光ディスクの判別方法において、前記フォーカスサーボ制御を開始するステップと、前記ＤＰＤ信号を取得するステップとの間に、前記光ディスクに情報が記録されているか否かを判断するステップを有し、情報が記録されている場合にのみ、前記ＤＰＤ信号を取得して、前記光ディスクが記録済み領域の光反射率が未記録領域に比べて高い光ディスクであるか否かを判別するのが好ましい。情報が未記録の光ディスクの場合、ＤＰＤ信号が得られない。この点、本構成では、未記録の光ディスクについてはＬｈＨタイプか否かは判断しない構成としているので、無駄な判別動作をなくすことができる。
【発明の効果】
【００１９】
本発明によれば、ＬｔＨタイプの光ディスクかＨｔＬタイプの光ディスクかの判別を高い精度で行える光ディスク装置及び光ディスクの判別方法を提供できる。そして、本発明はブルーレイディスクに対して好適に適用できる。
【発明を実施するための最良の形態】
【００２０】
以下、本発明の実施形態について、図面を参照しながら説明する。
【００２１】
（光ディスク装置の構成）
まず、本実施形態の光ディスク装置の構成について説明する。図１は、本実施形態の光ディスク装置の構成を示すブロック図である。なお、本実施形態の光ディスク装置１は、ブルーレイディスク（この言葉は、本実施形態ではＢＤ−ＲＥ、ＢＤ−Ｒ、ＢＤ−ＲＯＭ及びＢＤ−Ｒ ＨｔＬを特に区別しない場合の表現として使用している）の再生と記録を可能に設けられている。また、ブルーレイディスクは、本発明における光ディスクの下位概念である。
【００２２】
スピンドルモータ２はターンテーブル２１（後述の図２参照）に連結され、ターンテーブル２１はスピンドルモータ２の回転によって回転する。ブルーレイディスク５０は、このターンテーブル２１に着脱自在に保持される。したがって、スピンドルモータ２を回転させることにより、ターンテーブル２１に保持されるブルーレイディスク５０を回転させることができる。スピンドルモータ２の回転の制御はスピンドルモータ駆動回路４によって行われる。
【００２３】
光ピックアップ３は、ブルーレイディスク５０に記録される情報を読み取ったり、ブルーレイディスク５０に情報を書き込んだりするために用いられる装置である。光ピックアップ３の構成は公知の光ピックアップと同様の構成であるが、図２を参照しながら簡単に説明する。
【００２４】
なお、図２は、本実施形態の光ディスク装置１に備えられる光ピックアップ３について説明するための平面図である。また、図２においては、ブルーレイディスク５０を破線で示しているが、ブルーレイディスク５０は、光ピックアップ３の上部（図２において、紙面手前側）に位置している。
【００２５】
光ピックアップ３は、波長４０５ｎｍ帯のレーザ光を出射するレーザダイオード（図示せず；レーザダイオードは光源の一例である）と、レーザダイオードから出射されたレーザ光をブルーレイディスク５０の情報記録層５０ａ（図１参照）に集光する対物レンズ３１と、情報記録層５０ａで反射した反射光を受光する光検出器３２（後述の図３参照）と、を備える。対物レンズ３１は、アクチュエータ（図示せず）に搭載された状態となっており、このアクチュエータの作用によって、少なくともフォーカス方向とトラッキング方向とに移動可能となっている。
【００２６】
なお、フォーカス方向とは、ブルーレイディスク５０のディスク表面に対して直交する方向であり、トラッキング方向とは、ブルーレイディスクの半径方向（ラジアル方向）と平行な方向である。
【００２７】
また、光ピックアップ３は、図示しない駆動機構によって、ラジアル方向と平行な方向に延びる２本のガイドレール２０に沿って摺動可能となっている。これにより、光ピックアップ３は、ラジアル方向に自在に移動し、ブルーレイディスク５０の任意のアドレスに適宜アクセスすることができる。
【００２８】
なお、本実施形態では、光ピックアップ３を駆動する駆動機構の一実施例として次のような構成を採用している。すなわち、本実施形態の光ピックアップ３の駆動機構は、光ピックアップ３に形成されるラックと、スライドモータと、スライドモータによって回転されるピニオンとから成り、ラックとピニオンの関係を利用して光ピックアップ３を移動する。また、ガイドレール２０は、光ディスク装置１の内部に形成されている。
【００２９】
図１に戻って、スライドモータ駆動回路５は、光ピックアップ３を駆動する駆動機構に設けられるスライドモータの駆動を制御する。本実施形態においては、スライドモータはステッピングモータで形成されている。このために、駆動パルスの数に基づいて、スライドモータ駆動回路５は光ピックアップ３の半径方向の位置について把握することが可能である。
【００３０】
なお、駆動パルスの数に基づいて光ピックアップ３の位置を検出するにあたって、光ピックアップ３の基準位置を検出する手段が必要となるが、これは、例えばフォトインタラプタを配置する等すればよい。
【００３１】
ＲＦアンプ６は、光ピックアップ３の光検出器３２から電気信号を供給されて、ＲＦ信号、フォーカスエラー信号（ＦＥ信号）、トラッキングエラー信号（ＴＥ信号）等の生成を行う。図３は、本実施形態の光ピックアップ装置１が備えるＲＦアンプ６の一部構成を示すブロック図である。なお、ＲＦアンプ６は、本発明の信号処理手段の一実施例である。
【００３２】
加算器６１は、光検出器３２が備える４分割の受光領域Ａ〜Ｄのうち、受光領域Ａからの出力（以下では、単にＡとする）と受光領域Ｃからの出力（以下では、単にＣとする）とを加算する。加算器６２は、受光領域Ｂからの出力（以下では、単にＢとする）と受光領域Ｄからの出力（以下では、単にＤとする）とを加算する。
【００３３】
加算器６３は、加算器６１の出力（Ａ＋Ｃ）と、加算器６２の出力（Ｂ＋Ｄ）とを加算することによって、ＲＦ信号（Ａ＋Ｂ＋Ｃ＋Ｄ）を生成する。減算器６４は、加算器６１の出力（Ａ＋Ｃ）から加算器６２の出力（Ｂ＋Ｄ）を減算することによって、ＦＥ信号を生成する。ローパスフィルタ６９は、減算器６４から出力されるＦＥ信号から不要な高周波成分を除去したＦＥ信号を出力する。
【００３４】
２値化回路６５は、加算器６１の出力を所定のレベルと比較することにより、加算器６１の出力を２値化する。２値化回路６６は、加算器６２の出力を所定のレベルと比較することにより、加算器６２の出力を２値化する。位相比較回路６７は、２値化回路６５の出力の位相と２値化回路６６の出力の位相との比較を行うことによって位相差検出方式（ＤＰＤ方式）のＴＥ信号を生成する。ローパスフィルタ６８は、位相比較回路６７より出力されるＴＥ信号から不要な高周波成分を除去したＴＥ信号を出力する。
【００３５】
なお、ＢＤ−ＲＯＭについては、ＤＰＤ方式によって得たＴＥ信号を用いてトラッキングサーボ制御を行う。しかし、ＢＤ−Ｒ（ＬｔＨタイプ含む）、ＢＤ−ＲＥは、差動プッシュプル方式（ＤＰＰ方式）でトラッキングサーボ制御を行う。このために、ＲＦアンプ６には、ＤＰＰ方式のＴＥ信号を得るための演算回路も備えられている。また、光検出器３２には４分割の受光領域Ａ〜Ｄとは別のサブ領域が形成される。ただし、ＤＰＰ方式でＴＥ信号を得る場合の受光領域の構成や演算回路の構成は公知であり、更に本発明とは直接関係ないために、その詳細な説明はここでは省略する。
【００３６】
図１に戻って、ＲＦアンプ６で生成されたＲＦ信号は、後述の再生信号処理部７へと出力される。ＦＥ信号及びＴＥ信号は後述のサーボ回路８へと出力される。
【００３７】
再生信号処理部７は、ＲＦアンプ６より供給されたＲＦ信号に対し波形等化処理を行う。そして、ＰＬＬ（Phase Locked Loop）と言われる回路構成を持つ同期信号発生回路のクロックにタイミングを合わせる形で、波形等化処理が行われたＲＦ信号をＡ／Ｄ変換する。Ａ／Ｄ変換された信号は、デコーダによってデータの復調処理及びエラー訂正処理が施され、再生データとして出力される。
【００３８】
サーボ回路８は、ＦＥ信号やＴＥ信号に基づいて、フォーカシング駆動信号やトラッキング駆動信号の生成等を行う。これらの信号によりフォーカスサーボ制御及びトラッキングサーボ制御が実行されることになる。すなわち、サーボ回路８はフォーカスサーボ制御及びトラッキングサーボ制御を行うサーボ手段の一実施例である。サーボ回路８で生成されたフォーカシング駆動信号やトラッキング駆動信号はアクチュエータ駆動回路９に送られる。
【００３９】
なお、フォーカスサーボ制御とは、対物レンズ３１の焦点が常に情報記録層５０ａに合うように行われる制御であり、トラッキングサーボ制御とは、対物レンズ３１によって集光された光スポットの位置が常にブルーレイディスク５０に形成されるトラックに追随するように行われる制御である。
【００４０】
アクチュエータ駆動回路９は、サーボ回路８からフォーカシング駆動信号やトラッキング駆動信号等を受け取って、対物レンズ３１（図２参照）が搭載されるアクチュエータの駆動を制御する。
【００４１】
記録信号処理部１０は、外部からブルーレイディスク５０に記録する記録データを受け取り、誤り訂正符号（ＥＣＣ；error correcting code）の付加を行う。そして、誤り訂正符号が付加されたデータについて所定の記録符号化方式によって符号化を行う。記録符号化された信号と、所定のライトストラテジとに従って記録パルスが生成される。なお、ライトストラテジとは、記録パルスに対する制御規則のことを指している。
【００４２】
レーザ駆動回路１１は、記録信号処理部１０によって形成されたパルス波形にしたがって、光ピックアップ３が備えるレーザダイオードを発振させる。
【００４３】
コントローラ１２は、マイクロコンピュータを備えて、光ディスク装置１を構成する各部と接続されており、各部が実行すべき動作に応じて適宜制御処理を実行する。なお、コントローラ１２には、メモリ１３が備えられている。メモリ１３には、コントローラ１２が各種処理を行う上で必要となる各種のパラメータや動作プログラム等が記憶される。
【００４４】
また、コントローラ１２には、ＤＰＤ信号取得部１２１及びディスク種判別部１２２が備えられ、これにより、ブルーレイディスク５０がＬｔＨタイプか否かを判別することが可能となっている。これらの機能については後述する。
【００４５】
（光ディスクの判別）
本実施形態の光ディスク装置１において、ブルーレイディスク５０がＬｔＨタイプか否かを判別する原理について、図４を参照しながら説明する。
【００４６】
図４（ａ）に示すように、対物レンズ３１によって集光されて出来る光スポットＳＰが、ブルーレイディスク５０のトラックＴＲ１〜ＴＲ３を順に横切る場合を考える。なお、図４（ａ）においては、トラッキングサーボ制御は行われていない。また、トラックＴＲ１からトラックＴＲ３へと横切る場合、光スポットＳＰはブルーレイディスク５０の内周側から外周側へと移動することになる。
【００４７】
図４（ｂ）及び図４（ｃ）は、図４（ａ）に示すような状態で光スポットＳＰが移動した場合に得られるＤＰＤ方式のＴＥ信号（以下では、単にＤＰＤ信号と表現する）の時間変化を模式的に示している。ただし、図４（ｂ）は、ＨｔＬタイプのブルーレイディスク（ＢＤ−ＲＯＭ、ＢＤ−Ｒ、ＢＤ−ＲＥ）の場合の信号を示し、図４（ｃ）は、ＬｔＨタイプのブルーレイディスク（ＢＤ−Ｒ ＬｔＨ）の場合の信号を示している。
【００４８】
ＨｔＬタイプとＬｔＨタイプとでは、情報記録による反射率の変化の仕方が逆であるために、図４（ｂ）と図４（ｃ）とに示すように、得られるＤＰＤ信号の極性が逆となる。そして、図４（ｂ）と図４（ｃ）とからわかるように、ＤＰＤ信号の１周期（１Ｔ）当りについて、最小値から最大値となるまでの第１の時間ａと最大値から最小値となるまでの第２の時間ｂとの関係が、ＨｔＬタイプとＬｔＨタイプとで逆となることがわかる。すなわち、ＤＰＤ信号からｂ＜ａの関係が得られれば、ブルーレイディスク５０がＬｔＨタイプであると判別し、ａ＞ｂの関係が得られればＬｔＨタイプでない（すなわちＨｔＬタイプである）と判別することができる。
【００４９】
なお、本実施形態では、１周期（１Ｔ）は、信号レベルが最小となってから次に信号レベルが最小となるまでの期間のことを指している。また、光スポットＳＰを動かす方向が逆となると、上述の第１の時間ａと第２の時間ｂとの関係が逆となる。このために、得られたＤＰＤ信号が、いずれの方向に光スポットＳＰを動かした場合のものかは把握しておく必要がある。更に、ＤＰＤ信号は、ブルーレイディスク５０に情報（データ）が記録されていない場合（すなわち未記録のディスクである場合）には得られない。このために、未記録のディスクの場合は、上述の判別は行えない。
【００５０】
次に、光ディスク装置１において、装置内に挿入されているブルーレイディスク５０がＬｔＨタイプかＨｔＬタイプかの判別を行う手順について、図５のフローチャートを参照しながら説明する。
【００５１】
ＬｔＨタイプかＨｔＬタイプかの判別を行う指令が出されると、ＤＰＤ信号取得部１２１は、サーボ回路８に命令を出してフォーカスサーボ制御を開始（フォーカスＯＮ）させる（ステップＳ１）。なお、フォーカスサーボ制御が開始される場合の光ピックアップ３の位置は、ブルーレイディスク５０のデータエリアの内周側が好ましい。
【００５２】
フォーカスサーボ制御が開始されると、ＤＰＤ信号取得部１２１は装置内にあるディスクが記録済みディスク（情報が記録されているディスク）であるか否かを確認する処理を実行させる（ステップＳ２）。記録済みディスクであるか否かは、例えばＲＦ信号の振幅によって判断できる。すなわち、未記録のディスクにおいてはＲＦ信号の振幅が小さい。このため、予め基準値を設けて、ＲＦ信号の振幅が基準値を超えるか否かで記録済みか否かを判断すれば良い。なお、記録済みのディスクであるか否かの判断は、他の方法を使用することも可能である。
【００５３】
装置内のディスクが未記録のディスクであると判断された場合には、本発明の方法ではＬｔＨタイプかＨｔＬタイプかの判断ができない。このため、本発明方法による判別は終了して、別の判別処理を行うことになる。
【００５４】
装置内にあるディスクが記録済みディスクである場合には、ＤＰＤ信号取得部１２１はＴＥ信号を得る方式をＤＰＤ方式に設定する。そして、フォーカスサーボ制御を行い、トラッキングサーボ制御を行わない状態で、光ピックアップ３をブルーレイディスク５０の内周側から外周側へと向かう方向に移動させ、この際に得られるＤＰＤ信号を取得する（ステップＳ３）。なお、この際、光ピックアップ３からの光が複数のトラックを横切るようにする。
【００５５】
ＤＰＤ信号が取得されると、ディスク種判別部１２２によって、得られたＤＰＤ信号の解析が行われる。具体的には、ＤＰＤ信号の１周期（１Ｔ）において、最小値から最大値となるまでの第１の時間ａと、最大値から最小値となるまでの第２の時間ｂとが算出される（ステップＳ４）。そして、第１の時間ａと第２の時間ｂとを比較し、ａ＜ｂか否かの確認が行われる（ステップＳ５）。
【００５６】
そして、ａ＜ｂである場合には、ディスク種判別部１２２は装置内にあるブルーレイディスク５０がＬｔＨタイプであると判断する（ステップＳ６）。一方、ａ＞ｂである場合には、ディスク種判別部１２２は装置内にあるブルーレイディスク５０がＨｔＬタイプであると判断する（ステップＳ７）。これにより、ブルーレイディスク５０がＬｔＨタイプであるか、ＨｔＬタイプであるかの判別は終了する。
【００５７】
なお、装置内にあるブルーレイディスク５０がＨｔＬタイプであると判断された場合には、これらの中に、ＢＤ−ＲＯＭ、ＢＤ−Ｒ、ＢＤ−ＲＥが含まれるので、その後、これらのいずれであるかの判別が行われる。これらの判別は、これらのディスク間で反射率が異なるために、この反射率の差を利用した判別が実行される。
【００５８】
以上のように、本実施形態の光ディスク装置１では、ブルーレイディスク５０について、ＴＥ信号の極性がＨｔＬタイプとＬｔＨタイプで異なることを利用して、両者の判別を行う構成となっている。具体的には、本実施形態では、ＤＰＤ信号の１周期の信号パターンに基づいて得られる２つの時間（第１の時間ａと第２の時間ｂ）を比較してＨｔＬタイプとＬｔＨタイプの判別を行う。したがって、反射率の差を利用する方法に比べてディスク１つ１つの製造ばらつきの影響を受け難く、精度の高い判別が可能となる。
【００５９】
（その他）
なお、以上に示した実施形態は本発明の実施形態の一例であり、本発明は、以上に示した実施形態に限定される趣旨ではない。すなわち、本発明の目的を逸脱しない範囲で種々の変更が可能である。
【００６０】
例えば、以上に示した実施形態においては、光ディスク装置１内にあるブルーレイディスク５０がＬｔＨタイプであるか否かの判別を行う際に、光ピックアップ３を動かしてＤＰＤ方式のＴＥ信号（ＤＰＤ信号）を得る構成とした。しかし、この構成に限定される趣旨ではない。すなわち、例えば光ピックアップ３を動かす代わりに、アクチュエータによって対物レンズ３１を動かしてＤＰＤ信号を得る構成としても構わない。
【００６１】
また、他の方法として次のような構成としても良い。すなわち、ブルーレイディスク５０を１回転させた場合に偏芯で光ピックアップ３からの光（光スポット）が複数のトラックを横切る場合には、それにより得られるＤＰＤ信号によって、ブルーレイディスクがＬｔＨタイプであるか否かを判別しても良い。
【００６２】
また、以上に示した実施形態では、１周期を信号レベルが最小となってから次に信号レベル最小となるまでの期間とし、１周期の信号パターンについて、信号レベルが最小値から最大値となるまでに要する第１の時間と信号レベルが最大値から最小値となるまでの第２の時間とを比較して、ＬｔＨタイプか否かの判別を行う構成とした。しかし、この構成に限定される趣旨ではない。すなわち、本発明における、「ＤＰＤ信号の１周期の信号パターンに基づいて得られる２つの時間」は、本実施形態の構成に限定されない。例えば、１周期の定義は本実施形態と同一として、その１周期の信号パターンにおいて、信号レベルがゼロから最大となる時間を第１の時間、信号レベルが最大からゼロとなるまでの時間を第２の時間として、この両者の比較で目的の判別を行ってもよい。
【００６３】
また、以上に示した実施形態では、光ピックアップからの光が内周側から外周側に向かう方向に移動した場合に得られるＤＰＤ信号を用いてブルーレイディスクがＬｔＨタイプであるか否かを判別した。しかし、勿論、光ピックアップからの光が外周側から内周側に向かう方向に移動した場合に得られるＤＰＤ信号を用いてブルーレイディスクがＬｔＨタイプであるか否かを判別しても良い。
【００６４】
また、以上に示した実施形態では、光ディスク装置がブルーレイディスクのみについて、情報の再生や記録を行える構成を示した。しかし、この構成に限定される趣旨ではない。すなわち、光ディスク装置１がブルーレイディスクに加えて、例えばＤＶＤやＣＤに対応する構成であっても本発明は適用できる。このような装置の場合には、判別にあたって、先に、ＢＤ、ＤＶＤ、ＣＤについて大別し、その後ＢＤについてＬｔＨか否かの判別を行うことになる。
【００６５】
その他、以上では、ＬｔＨタイプか否かの判別が行われる対象がブルーレイディスクである場合を示した。しかし、これに限定されず、同様の方式でＬｔＨタイプか否かの判別が行える光ディスクに対して、本発明は広く適用できるのは言うまでもない。
【産業上の利用可能性】
【００６６】
本発明は、ブルーレイディスクがＬｔＨタイプか否かの判別を行うために好適に適用できる。このために、本発明は光ディスクの判別を行う技術として有用である。
【図面の簡単な説明】
【００６７】
【図１】は、本実施形態の光ディスク装置の構成を示すブロック図である。
【図２】は、本実施形態の光ディスク装置に備えられる光ピックアップについて説明するための平面図である。
【図３】は、本実施形態の光ディスク装置が備えるＲＦアンプの一部構成を示すブロック図である。
【図４】は、本実施形態の光ディスク装置において、ブルーレイディスクがＬｔＨタイプか否かを判別する原理を説明するための説明図である。
【図５】は、本実施形態の光ディスク装置において、装置内に挿入されているブルーレイディスクがＬｔＨタイプかＨｔＬタイプかの判別を行う手順を示すフローチャートである。
【符号の説明】
【００６８】
１  光ディスク装置
３  光ピックアップ
６  ＲＦアンプ（信号処理手段）
８  サーボ回路（サーボ手段）
１２  コントローラ
３１  対物レンズ
３２  光検出器
５０  ブルーレイディスク（光ディスク）
５０ａ  情報記録層
１２１  ＤＰＤ信号取得部
１２２  ディスク種判別部
【図１】
2010067314.tif 000003
【図２】
2010067314.tif 000004
【図３】
2010067314.tif 000005
【図４】
2010067314.tif 000006
【図５】
2010067314.tif 000007